(57)【要約】【課題】地膜部が左右対称に開く扇子を提供する。【解決手段】細長い中心部材２と、中心部材２の一端部に設けられた左側支軸１３および右側支軸１４とを備える。左側支軸１３に支持された左側親骨部材３および複数の左側中骨部材５と、右側支軸１４に支持された右側親骨部材４および複数の右側中骨部材６とを備える。左側親骨部材３と右側親骨部材４とが外端部に固着されるとともに中心部材２が中央部に固着され、複数の左側中骨部材５と右側中骨部材６とが展開された状態で左側中間部２４と右側中間部２５とに固着された蛇腹状の地膜部材７を備えている。【選択図】  図１
0003210023.tif 000002
【実用新案登録請求の範囲】
【請求項１】
細長く形成された中心部材と、
前記中心部材の一端部に設けられ、前記中心部材の長手方向とは直交する方向を軸線方向として形成された左側支軸および右側支軸と、
細長く形成され、一端部が前記左側支軸を介して前記中心部材に揺動自在に支持された左側親骨部材と、
細長い板状に形成され、一端部が前記中心部材と前記左側親骨部材の前記一端部との間に挟まれる状態で前記左側支軸を介して前記中心部材に揺動自在に支持された複数の左側中骨部材と、
細長く形成され、一端部が前記右側支軸を介して前記中心部材に揺動自在に支持された右側親骨部材と、
細長い板状に形成され、一端部が前記中心部材と前記右側親骨部材の前記一端部との間に挟まれる状態で前記右側支軸を介して前記中心部材に揺動自在に支持された複数の右側中骨部材と、
前記左側親骨部材と前記右側親骨部材とが外端部に固着されるとともに前記中心部材が中央部に固着され、複数の前記左側中骨部材と前記右側中骨部材とが展開された状態で左側中間部と右側中間部とに固着された蛇腹状の地膜部材とを備えている扇子。
【請求項２】
請求項１記載の扇子において、
前記中心部材の前記一端部には、先端に向かうにしたがって次第に細くなる形状のカバーが設けられていることを特徴とする扇子。
【請求項３】
請求項２記載の扇子において、
前記中心部材には、使用者の指によって把持可能な摘み部が設けられていることを特徴とする扇子。
【考案の詳細な説明】
【技術分野】
【０００１】
本考案は、親骨および複数の中骨を支持する２本の支軸を備えた扇子に関する。
【背景技術】
【０００２】
従来の扇子は、例えば特許文献１に記載されているように、複数の骨部材と、これらの骨部材を貫通した状態で支持する一つの要軸と、骨部材に固着された折り曲げ可能な蛇腹状の地膜部材などによって構成されている。
【０００３】
複数の骨部材は、地膜部材の外端部に固着された一対の親骨部材と、一方の親骨部材と他方の親骨部材との間に配置されて地膜部材に固着された複数の中骨部材とから構成されている。親骨部材は、要軸の両端部に支持されている。中骨部材は、要軸における一対の親骨部材によって挟まる位置に支持されている。
地膜部材は、絵柄が描かれることが多い。
【０００４】
この扇子を開くためには、一方の親骨部材を要軸に対して一方に揺動させるとともに、他方の親骨部材を要軸に対して他方に揺動させて行われる。
ところで、扇子を使って遊ぶゲームの一つとして投扇興がある。この投扇興は、扇子を的に向けて投げて行われる。
【先行技術文献】
【特許文献】
【０００５】
【特許文献１】特開２００４−９７４０３号公報
【考案の概要】
【考案が解決しようとする課題】
【０００６】
特許文献１に開示された従来の扇子は、いわゆる片開きの状態で開くから、開いた状態で地膜部材の一端が他端に対して要軸の軸線方向にずれるようになる。この扇子が開いている状態で地膜部材を要軸の軸方向から見ると、地膜部材に描かれた絵柄の左右方向の一方が手前側に位置し、他方が奥側に位置するようになる。このため、従来の扇子では、地膜部材の絵柄が見える状態を左右対称にすることができないという問題があった。
また、従来の扇子を使って投扇興を行う場合は、扇子の左側と右側とで受ける風の抵抗が均等にならないため、飛行状態が安定しないという不具合があった。
【０００７】
本考案はこのような問題を解消するためになされたもので、地膜部材が左右対称に開く扇子を提供することを目的とする。
【課題を解決するための手段】
【０００８】
この目的を達成するために、本考案に係る扇子は、細長く形成された中心部材と、前記中心部材の一端部に設けられ、前記中心部材の長手方向とは直交する方向を軸線方向として形成された左側支軸および右側支軸と、細長く形成され、一端部が前記左側支軸を介して前記中心部材に揺動自在に支持された左側親骨部材と、細長い板状に形成され、一端部が前記中心部材と前記左側親骨部材の前記一端部との間に挟まれる状態で前記左側支軸を介して前記中心部材に揺動自在に支持された複数の左側中骨部材と、細長く形成され、一端部が前記右側支軸を介して前記中心部材に揺動自在に支持された右側親骨部材と、細長い板状に形成され、一端部が前記中心部材と前記右側親骨部材の前記一端部との間に挟まれる状態で前記右側支軸を介して前記中心部材に揺動自在に支持された複数の右側中骨部材と、前記左側親骨部材と前記右側親骨部材とが外端部に固着されるとともに前記中心部材が中央部に固着され、複数の前記左側中骨部材と前記右側中骨部材とが展開された状態で左側中間部と右側中間部とに固着された蛇腹状の地膜部材とを備えているものである。
【０００９】
本考案は、前記扇子において、前記中心部材の前記一端部には、先端に向かうにしたがって次第に細くなる形状のカバーが設けられていてもよい。
【００１０】
本考案は、前記扇子において、前記中心部材には、使用者の指によって把持可能な摘み部が設けられていてもよい。
【考案の効果】
【００１１】
本考案に係る扇子においては、左側親骨部材と複数の左側中骨部材とが左側支軸を中心にして揺動し、右側親骨部材と複数の右側中骨部材とが右側支軸を中心にして揺動する。このため、扇子の左側と右側とを左右方向に対称に構成することができる。
したがって、本考案によれば、地膜部材が左右対称に開く扇子を提供することができる。この扇子は、左右対称の洗練されたデザインの絵柄を地膜部材に設けることができるものとなる。
また、この扇子は、投扇興を行うときのように投げられると、左右方向の両翼で均等に風の抵抗を受けるから、安定して飛翔することができる。
【図面の簡単な説明】
【００１２】
【図１】本考案に係る扇子の開いた状態の平面図である。
【図２】本考案に係る扇子の開いた状態の底面図である。
【図３】本考案に係る扇子の閉じた状態の平面図である。
【図４】本考案に係る扇子の閉じた状態の底面図である。
【図５】本考案に係る扇子の閉じた状態の側面図である。
【図６】カバーの上部部材の平面図である。
【図７】カバーの上部部材が取外された状態の扇子の一端部を示す平面図である。
【図８】カバーの左側部材と右側部材とが取外された状態の扇子の一端部を示す平面図である。
【図９】図３におけるIX−IX線断面図である。
【図１０】図３におけるX−X線断面図である。
【考案を実施するための形態】
【００１３】
以下、本考案に係る扇子の一実施の形態を図１〜図１０によって詳細に説明する。
図１および図２は、本考案に係る扇子１を左側が上に位置する状態で描いてある。図１に示す扇子１は、左右方向の中央部（図１においては上下方向の中央部）に位置する中心部材２にその他の構成部材を組み付けて構成されている。その他の構成部材とは、詳細は後述するが、左側親骨部材３および右側親骨部材４と、複数の左側中骨部材５および複数の右側中骨部材６と、地膜部材７とカバー８である。
【００１４】
中心部材２は、プラスチック材料によって細長い板状に形成されており、主面２ａが長手方向と左右方向とに延びる状態で使用されている。この明細書においては、便宜上、図１に表れている主面２ａと対向する方向を上方として説明する。
この実施の形態による中心部材２は、長手方向に延びる板状部１１と、この板状部１１の一端部に設けられた後述する３種類の機能部と、板状部１１の他端部に設けられた尾翼部１２とを備えている。
【００１５】
３種類の機能部のうち第１の機能部は、従来の要軸に相当する左側支軸１３および右側支軸１４である。これらの左側支軸１３および右側支軸１４は、図８および図９に示すように、それぞれ円筒状に形成されており、中心部材２の長手方向とは直交する方向、言い換えれば、中心部材２の主面２ａと直交する方向を軸線方向として形成されている。左側支軸１３は、中心部材２の左側端部に設けられ、右側支軸１４は、中心部材２の右側端部に設けられている。また、これらの左側支軸１３と右側支軸１４は、中心部材２の長手方向において同一位置に設けられている。
【００１６】
第２の機能部は、後述するカバー８の左側部材１５と右側部材１６とを支持する支持片１７（図８および図１０参照）である。この支持片１７は、板状部１１から上方に突出する左側枠体１７ａおよび右側枠体１７ｂを有している。
第３の機能部は、この扇子１を使用者が投げて遊ぶときに指で把持する摘み部１８（図２参照）である。この摘み部１８は、図５および図９に示すように、中心部材２の長手方向と上下方向とに延びる板状に形成されており、板状部１１の左右方向の中央から下方へ突出するように設けられている。
【００１７】
左側親骨部材３と右側親骨部材４は、細長い棒状に形成されている。これらの左側親骨部材３と右側親骨部材４は、扇子１の左右方向に対称に形成されている。左側親骨部材３の一端部は、図９に示すように、左側支軸１３が貫通する状態で左側支軸１３の突出側端部に回動自在に嵌合している。このため、左側親骨部材３は、左側支軸１３を介して中心部材２に揺動自在に支持されている。
右側親骨部材４の一端部は、右側支軸１４が貫通する状態で右側支軸１４の突出側端部に回動自在に嵌合している。このため、右側親骨部材４は、右側支軸１４を介して中心部材２に揺動自在に支持されている。
【００１８】
複数の左側中骨部材５と複数の右側中骨部材６は、それぞれ細長い板状に形成されている。これらの左側および右側中骨部材５，６は、左側親骨部材３および右側親骨部材４より短い。この実施の形態による左側中骨部材５と右側中骨部材６は、４本ずつ設けられている。
４本の左側中骨部材５のそれぞれの一端部は、図９に示すように、厚み方向に重ねられており、左側支軸１３が貫通する状態で左側支軸１３に回動自在に支持されている。左側中骨部材５は、中心部材２の板状部１１と左側親骨部材３の一端部との間に位置している。このため、複数の左側中骨部材５は、一端部が中心部材２と左側親骨部材３の一端部との間に挟まれる状態で左側支軸１３を介して中心部材２に揺動自在に支持されている。
【００１９】
４本の右側中骨部材６のそれぞれの一端部は、厚み方向に重ねられており、右側支軸１４が貫通する状態で右側支軸１４に回動自在に支持されている。右側中骨部材６は、中心部材２の板状部１１と右側親骨部材４の一端部との間に位置している。このため、複数の右側中骨部材６は、一端部が中心部材２と右側親骨部材４の一端部との間に挟まれる状態で右側支軸１４を介して中心部材２に揺動自在に支持されている。
【００２０】
地膜部材７は、紙や布などによって平面視扇状であって蛇腹状に形成されている。地膜部材７には、図示してはいないが絵柄が印刷されている。地膜部材７の左側半部において蛇腹を構成する複数の折れ線７ａは、左側支軸１３を中心として放射状に延びている。また、地膜部材７の右側半部において蛇腹を構成する複数の折れ線７ｂは、右側支軸１４を中心として放射状に延びている。
【００２１】
この地膜部材７の左側の外端部は、左側親骨部材３に固着されている。地膜部材７の右側の外端部は、右側親骨部材４に固着されている。地膜部材７の左右方向の中央部は、中心部材２の長手方向に並ぶ第１および第２の係止片２１，２２と、これらの係止片２１，２２どうしの間に位置するクランプ部材２３とによって中心部材２に固定されている。第１および第２の係止片２１，２２は、中心部材２の板状部１１に一体に設けられ、地膜部材７の端縁を中心部材２の板状部１１と協働して挟む構成のものである。クランプ部材２３は、板状部１１とは別体に形成され、地膜部材７が板状部１１との間に挟まれる状態で板状部１１に係止されている。
【００２２】
地膜部材７の左側中間部２４は、展開された複数の左側中骨部材５に固着されている。左側中骨部材５は、図１に示すように、左側支軸１３の軸線方向において、左側親骨部材３に近いものほど地膜部材７の左側端部に近い位置に固着されている。
地膜部材７の右側中間部２５は、展開された複数の右側中骨部材６に固着されている。右側中骨部材６は、右側支軸１４の軸線方向において、右側親骨部材４に近いものほど地膜部材７の右側端部に近い位置に固着されている。
【００２３】
カバー８は、図１に示すように、中心部材２の一端部から長手方向に沿って突出する形状であって、先端に向かうにしたがって次第に細くなる形状に形成されている。この実施の形態によるカバー８は、図５に示すように、鳥の頭部を模した形状に形成されている。このカバー８は、３つの部材を組み合わせて構成されている。
【００２４】
これら３つの部材とは、図１０に示すように、中心部材２の一端部を左右方向から挟む左側部材１５および右側部材１６と、これらの左側部材１５および右側部材１６の上に被せられた上側部材２６である。
左側部材１５と右側部材１６の下部には、中心部材２の支持片１７と嵌合する凹陥部２７，２８が形成されている。図１０においては、凹陥部２７，２８の下側の壁が二点鎖線で描いてある。また、左側部材１５の下端部には、図８に示すように、右側部材１６の穴２９に嵌合する突起３０が突設されている。さらに、左側部材１５と右側部材１６の上端部には、上方に向けて突出する凸壁３１，３２が設けられている。これらの凸壁３１，３２は、左側部材１５と右側部材１６とが組合わせられることにより互いに接触し、図７に示すように、一つの角筒になる形状に形成されている。
【００２５】
上側部材２６は、図６に示すように、左側親骨部材３の一端部を上方から覆う凸片２６ａと、右側親骨部材４の一端部を上方から覆う凸片２６ｂとを有しているとともに、左側部材１５と右側部材１６とに上方から重なる連結片２６ｃを有している。
凸片２６ａには、図９に示すように、左側支軸１３の中空部に嵌合する左側ピン３３が下方に向けて突設されている。突片２６ｂには、右側支軸１４の中空部に嵌合する右側ピン３４が下方に向けて突設されている。上側部材２６は、左側ピン３３が左側支軸１３に嵌合するとともに右側ピン３４が右側支軸１４に嵌合することによって、中心部材２に固定されている。
【００２６】
連結片２６ｃは、図１０に示すように、下方に向けて開口する凹陥部３５を有している。この凹陥部３５は、左側部材１５の凸壁３１と右側部材１６の凸壁３２とからなる角筒が嵌合する形状に形成されている。この角筒が凹陥部３５に嵌合することによって、左側部材１５と右側部材１６とが中心部材２から離れる方向に移動することができなくなり、中心部材２に組み付けられた状態に保持される。
【００２７】
このように構成された扇子１においては、左側親骨部材３と複数の左側中骨部材５とが左側支軸１３を中心にして揺動し、右側親骨部材４と複数の右側中骨部材６とが右側支軸１４を中心にして揺動する。このため、扇子１の左側と右側とを左右方向に対称に構成することができる。
したがって、この実施の形態によれば、地膜部材７が左右対称に開く扇子を提供することができる。この実施の形態による扇子１は、左右対称の洗練されたデザインの絵柄を地膜部材７に設けることができるものとなる。また、この扇子１は、投扇興を行うときのように投げられると、地膜部材７における左右方向の両翼を構成する部分で風の抵抗を略均等に受けるから、安定して飛翔することができる。なお、この扇子１を投げて飛ばすにあたっては、左側の翼となる地膜部材７の左側半部または右側の翼となる地膜部材７の右側半部を閉じることによって、扇子１が通常とは異なる軌道を通って飛ぶようになる。
【００２８】
この実施の形態による中心部材２の一端部には、先端に向かうにしたがって次第に細くなる形状のカバー８が設けられている。このため、全ての骨部材の一端部が集中する部分を先が細いカバー８で覆うことができるから、この扇子１が投げられたときの空気抵抗が小さくなり、飛行距離を延ばすことが可能になる。また、この扇子１が着地するときに左側支軸１３と右側支軸１４とを含めて中心部材２の一端部をカバー８によって保護することができる。
【００２９】
この実施の形態による扇子１の中心部材２には、使用者の指によって把持可能な摘み部１８が設けられている。このため、摘み部１８を指で把持して扇子１を投げることができるから、投扇興を行うときに投げ易い扇子を提供することができる。
【符号の説明】
【００３０】
１…扇子、２…中心部材、３…左側親骨部材、４…右側親骨部材、５…左側中骨部材、６…右側中骨部材、７…地膜部材、８…カバー、１３…左側支軸、１４…右側支軸、１８…摘み部。
【図１】
0003210023.tif 000003
【図２】
0003210023.tif 000004
【図３】
0003210023.tif 000005
【図４】
0003210023.tif 000006
【図５】
0003210023.tif 000007
【図６】
0003210023.tif 000008
【図７】
0003210023.tif 000009
【図８】
0003210023.tif 000010
【図９】
0003210023.tif 000011
【図１０】
0003210023.tif 000012